(57)【要約】  多層構造の回路基板２と、回路基板２のグランドパターンをグランドとするアンテナ３と、アンテナ３の近傍に配置されたキーパッド５及びキーＬＥＤ８と、キーパッド５を制御するキー制御部６と、キーＬＥＤ８を制御するキーＬＥＤ制御部９と、キーパッド信号線７及びキーＬＥＤ信号線１０と、アンテナ３の近傍に配置され、一端が回路基板２のグランドパターンと電気的に接続され、回路基板２に設けられたパターンで構成される放射素子４とを有し、キーパッド信号線７及びキーＬＥＤ信号線１０と放射素子４を回路基板２の厚み方向に重ねて配置した。
2013099113.tif 000002
【特許請求の範囲】
【請求項１】
少なくとも２つの層を有する多層構造の回路基板と、
前記回路基板のグランドパターンをグランドとするアンテナと、
前記アンテナの近傍に配置された機能部品と、
前記回路基板に設けられ前記機能部品を制御する制御部と、
前記機能部品と前記制御部とを接続する信号線と、
前記アンテナの近傍に配置され、少なくとも一端が前記回路基板のグランドパターンと電気的に接続され、前記回路基板に設けられたパターンで構成される放射素子と、を有し、
前記信号線と前記放射素子の少なくとも一部が前記回路基板の厚み方向で重なっていることを特徴とするアンテナ装置。
【請求項２】
少なくとも２つの層を有する多層構造の回路基板と、
前記回路基板のグランドパターンをグランドとするアンテナと、
前記アンテナの近傍に配置された機能部品と、
前記回路基板に設けられ前記機能部品を制御する制御部と、
前記機能部品と前記制御部とを接続する信号線と、
前記アンテナの近傍に配置され、前記回路基板に設けられたパターンで構成される放射素子と、
前記信号線を中継し、前記回路基板のグランドパターンと前記放射素子との間に配置される高周波カット部品と、を有し、
前記信号線と前記放射素子の少なくとも一部が前記回路基板の厚み方向で重なっていることを特徴とするアンテナ装置。
【請求項３】
前記回路基板のグランドパターンに電気的に接続された強度補強用の金属プレートを有することを特徴とする請求項１又は請求項２に記載のアンテナ装置。
【請求項４】
前記放射素子と前記回路基板のグランドパターンを中継して接続する周波数調整部品を有することを特徴とする請求項２又は請求項３に記載のアンテナ装置。
【請求項５】
前記放射素子が前記回路基板の少なくとも２つのパターンで構成され、前記信号線が配置される前記回路基板のパターンが前記放射素子のパターン間に挟まれていることを特徴とする請求項１から請求項４のいずれか一項に記載のアンテナ装置。
【請求項６】
前記信号線を中継し、前記放射素子の開放端近傍に配置される高周波カット部品を有することを特徴とする請求項１から請求項５のいずれか一項に記載のアンテナ装置。
【請求項７】
請求項１から請求項６のいずれか一項に記載のアンテナ装置を有することを特徴とする携帯無線機。
【発明の詳細な説明】
【技術分野】
【０００１】
本発明は、アンテナ装置及び該アンテナ装置を用いた携帯無線機に関する。
【背景技術】
【０００２】
携帯電話等の携帯無線機の小型化に伴い、アンテナ近傍の機能部品とアンテナの距離が近づくことによるアンテナ利得の劣化が課題となっている。このようなアンテナ利得劣化を抑制する技術として、機能部品を制御する信号線に複数の高周波カット部品を入れて、機能部品及び信号線を高周波的に切断するとともに、それら機能部品及び信号線を、アンテナとグランドとの間の空間に配置する技術が知られている（例えば、特許文献１及び特許文献２参照）。図９は、この種の技術を具体的に示した一例を示す図である。同図に示すように、機能部品１００を制御するための制御信号を伝送する信号線１０１に３個の高周波カット部品１０２を入れて、機能部品１００と信号線１０１を高周波的に切断しており、さらに、これらの機能部品１００及び信号線１０１をアンテナ１０３と回路基板１０４のグランドパターン（図示略）との間の空間に配置させている。なお、同図において、符号１０５は、機能部品１００を制御する制御部である。また、符号１０６は、給電部である。
【先行技術文献】
【特許文献】
【０００３】
【特許文献１】国際公開第２０１０／１０６７０８号
【特許文献２】日本国特開２００６−１０８９４２号公報
【発明の概要】
【発明が解決しようとする課題】
【０００４】
しかしながら、従来の技術では、１つの信号線毎に複数の高周波カット部品が必要となり、部品点数が大幅に増加することによるコストアップ及び機器本体が大型化するという課題がある。【０００５】
また、機能部品及び信号線が配置される箇所の近傍にはアンテナを配置できないため（当該箇所の近傍にアンテナを配置するとアンテナ性能が劣化してしまうからで）、アンテナの構成方法が限定されるという課題もある。【０００６】
本発明は、係る事情に鑑みてなされたものであり、機能部品と該機能部品を制御する制御部とを接続する信号線に挿入する高周波カット部品を削減できるとともに、機能部品及び信号線が配置される箇所の近傍にアンテナを配置することができるアンテナ装置及び携帯無線機を提供することを目的とする。
【課題を解決するための手段】
【０００７】
本発明のアンテナ装置は、少なくとも２つの層を有する多層構造の回路基板と、前記回路基板のグランドパターンをグランドとするアンテナと、前記アンテナの近傍に配置された機能部品と、前記回路基板に設けられ前記機能部品を制御する制御部と、前記機能部品と前記制御部とを接続する信号線と、前記アンテナの近傍に配置され、少なくとも一端が前記回路基板のグランドパターンと電気的に接続され、前記回路基板に設けられたパターンで構成される放射素子と、を有し、前記信号線と前記放射素子の少なくとも一部が前記回路基板の厚み方向で重なっていることを特徴とする。【０００８】
上記構成によれば、信号線と放射素子を同一回路基板の厚み方向に重ねて配置して、信号線と放射素子を高周波的に結合させるようにしたので、機能部品及び信号線が配置される箇所の近傍にアンテナを配置してもアンテナ性能の劣化を防ぐことができる。また、機能部品と該機能部品を制御する制御部とを接続する信号線に挿入する高周波カット部品を削減でできるので、コストアップ及び機器本体の大型化を抑制できる。【０００９】
本発明のアンテナ装置は、少なくとも２つの層を有する多層構造の回路基板と、前記回路基板のグランドパターンをグランドとするアンテナと、前記アンテナの近傍に配置された機能部品と、前記回路基板に設けられ前記機能部品を制御する制御部と、前記機能部品と前記制御部とを接続する信号線と、前記アンテナの近傍に配置され、前記回路基板に設けられたパターンで構成される放射素子と、前記信号線を中継し、前記回路基板のグランドパターンと前記放射素子との間に配置される高周波カット部品と、を有し、前記信号線と前記放射素子の少なくとも一部が前記回路基板の厚み方向で重なっていることを特徴とする。【００１０】
上記構成によれば、信号線と放射素子を同一回路基板の厚み方向に重ねて配置し、さらに、回路基板のグランドパターンと放射素子との間に信号線を中継する高周波カット部品を配置するようにしたので、放射素子の回路基板のグランドパターンへの接続を省くことができる。即ち、放射素子を回路基板のグランドパターンから浮かすことができる。また、前記した発明と共振周波数が変わるものの、信号線と放射素子が高周波的に結合することから、機能部品及び信号線が配置される箇所の近傍にアンテナを配置してもアンテナ性能の劣化を防ぐことができる。また、機能部品と該機能部品を制御する制御部とを接続する信号線に挿入する高周波カット部品を削減でできるので、コストアップ及び機器本体の大型化を抑制できる。【００１１】
上記構成において、前記回路基板のグランドパターンに電気的に接続された強度補強用の金属プレートを有することを特徴とする。【００１２】
上記構成によれば、アンテナと回路基板が離れていても、金属プレートを介して放射素子を回路基板のグランドパターンに接続できるので、前記した発明と同様の効果が得られる。【００１３】
上記構成において、前記放射素子と前記回路基板のグランドパターンを中継して接続する周波数調整部品を有することを特徴とする。【００１４】
上記構成によれば、放射素子と回路基板のグランドパターンを中継して接続する周波数調整部品を配置したので、放射素子の共振周波数を周波数調整部品によって任意に調整できる。【００１５】
上記構成において、前記放射素子が前記回路基板の少なくとも２つのパターンで構成され、前記信号線が配置される前記回路基板のパターンが前記放射素子のパターン間に挟まれていることを特徴とする。【００１６】
上記構成によれば、放射素子を回路基板の１つのパターンで構成した場合と比べて、信号線のアンテナに対する影響をさらに低減できる。【００１７】
上記構成において、前記信号線を中継し、前記放射素子の開放端近傍に配置される高周波カット部品を有することを特徴とする。【００１８】
上記構成によれば、放射素子の長さを短くしても、放射素子の開放端より先に機能部品を配置することができる。【００１９】
本発明の携帯無線機は、前記アンテナ装置を有することを特徴とする。【００２０】
上記構成によれば、前記アンテナ装置を有することで、コストダウンが図れるとともに、装置本体の小型化が図れる。
【発明の効果】
【００２１】
本発明は、機能部品と該機能部品を制御する制御部とを接続する信号線に挿入する高周波カット部品を削減できるとともに、機能部品及び信号線が配置される箇所の近傍にアンテナを配置することができる。
【図面の簡単な説明】
【００２２】
【図１】本発明の実施の形態１に係るアンテナ装置の概略構成を示す図
【図２】回路基板を２つの層を有する多層構造とした場合の図１におけるＡ−Ａ線断面図
【図３】回路基板を３つの層を有する多層構造とした場合の図１におけるＡ−Ａ線断面図
【図４】（ａ），（ｂ）本発明を検証した結果を示す図
【図５】本発明の実施の形態２に係るアンテナ装置の概略構成を示す図
【図６】本発明の実施の形態３に係るアンテナ装置の概略構成を示す図
【図７】本発明の実施の形態４に係るアンテナ装置の概略構成を示す図
【図８】本発明の実施の形態５に係るアンテナ装置の概略構成を示す図
【図９】従来のアンテナ装置の概略構成を示す図
【発明を実施するための形態】
【００２３】
以下、本発明を実施するための好適な実施の形態について、図面を参照して詳細に説明する。
【００２４】
（実施の形態１）
図１は、本発明の実施の形態１に係るアンテナ装置の概略構成を示す図である。本実施の形態に係るアンテナ装置は、スマートフォンと呼ばれるストレート構造の携帯無線機に用いたものであり、図１はその下端部分を示している。
【００２５】
同図において、本実施の形態に係るアンテナ装置１は、回路基板２と、アンテナ３と、放射素子４と、３個のキーパッド（機能部品）５−１〜５−３と、キー制御部６と、キーパッド信号線（信号線）７と、３個のキーＬＥＤ（機能部品）８−１〜８−３と、キーＬＥＤ制御部９と、キーＬＥＤ信号線（信号線）１０と、給電部１１と、を有する。
【００２６】
回路基板２は、少なくとも２つの層を有する多層構造の回路基板である。アンテナ３は、回路基板２のグランドパターン（図示略）をグランドとし、回路基板２の長辺２ａと平行な方向に延びる基端部３ａと回路基板２の短辺２ｂと平行な方向に延びるアンテナ部３ｂとからなるＬ字状に形成されている。アンテナ３の基端部３ａが回路基板２上の給電部１１に接続されている。アンテナ３のアンテナ部３ｂの先端が開放端となっている。放射素子４は、略Ｌ字形をした帯状に形成されており、一端が回路基板２のグランドパターンと電気的に接続され、回路基板２に設けられたパターンで構成されている。放射素子４は、回路基板２の短辺２ｂとアンテナ３との間に、アンテナ３に対する地線として配置される。キーパッド５−１〜５−３は、放射素子４の表面（図１で見えている側の面が表面である）上方に配置される。キー制御部６は、キーパッド５−１〜５−３それぞれを制御する。キーパッド信号線７は、複数の極細の心線からなり、キーパッド５−１〜５−３とキー制御部６とを接続する。
【００２７】
キーＬＥＤ８−１〜８−３は、キーパッド５−１〜５−３内に設けられる。即ち、キーＬＥＤ８−１はキーパッド５−１内に設けられ、キーＬＥＤ８−２はキーパッド５−２内に設けられ、キーＬＥＤ８−３はキーパッド５−３内に設けられる。キーＬＥＤ制御部９は、キーＬＥＤ８−１〜８−３それぞれを制御する。キーＬＥＤ信号線１０は、キーパッド信号線７と同様に複数の極細の心線からなり、キーＬＥＤ８−１〜８−３とキーＬＥＤ制御部９とを接続する。キーパッド信号線７及びキーＬＥＤ信号線１０は、同一基板上のパターン層間で放射素子４と重ねて配置される。
【００２８】
図２は、回路基板２を２つの層を有する多層構造とした場合の図１におけるＡ−Ａ線断面図であり、同図に示すように、下層に放射素子４が配置され、上層にキーパッド信号線７及びキーＬＥＤ信号線１０が配置されている。また、図３は、回路基板２を３つの層を有する多層構造とした場合の図１におけるＡ−Ａ線断面図であり、同図に示すように、１層目と３層目に放射素子４がそれぞれ配置され、２層目にキーパッド信号線７及びキーＬＥＤ信号線１０が配置されている。この３層構造では、キーパッド信号線７及びキーＬＥＤ信号線１０のアンテナ３に対する影響を２層構造の場合よりも低減できるという利点が得られる。
【００２９】
このように、キーパッド信号線７及びキーＬＥＤ信号線１０と放射素子４とを同一基板上のパターン層間で重ねて配置することで、キーパッド信号線７及びキーＬＥＤ信号線１０と放射素子４とを高周波的に結合させることができる。これによりアンテナ性能を劣化させることなくキーパッド信号線７及びキーＬＥＤ信号線１０それぞれに介挿する高周波カット部品を削減することができる。また、キーパッド信号線７及びキーＬＥＤ信号線１０を配線する領域に地線としての放射素子４を配置するため、放射素子４を設けるための新たな領域を必要としない。なお、アンテナ近傍にある機能部品には上述したキーパッド５−１〜５−３、キーＬＥＤ８−１〜８−３の他に、バイブレータ、マイク、タッチセンサ、タッチセンサ制御部などもある。
【００３０】
図４（ａ），（ｂ）は、本発明を検証した結果を示す図である。同図の（ａ）において、放射素子４と回路基板２のグランドパターンとの間に地線定数（コイルＬ又はコンデンサＣ）２０を設けている。また、キーパッド信号線７及びキーＬＥＤ信号線１０の根元に高周波カット部品２１を設けている。また、キーパッド５−１〜５−３及びキーＬＥＤ８−１〜８−３の機能部品のインピーダンス２２が接続されている。同図の（ｂ）に示すグラフは、縦軸がＶＳＷＲ、横軸が周波数（ＧＨｚ）である。同図の（ｂ）のグラフから分かるように、地線としての放射素子４と信号線であるキーパッド信号線７及びキーＬＥＤ信号線１０を容量結合させることで、信号線及び機能部品の影響を受けることなく、１．５ＧＨｚ帯と１．７ＧＨｚ〜２ＧＨｚ帯の２つの共振帯域が得られる。これにより、従来技術よりも高周波カット部品の数を削減した上にアンテナ性能が改善する。
【００３１】
このように実施の形態１に係るアンテナ装置１によれば、少なくとも２つの層を有する多層構造の回路基板２と、回路基板２のグランドパターンをグランドとするアンテナ３と、アンテナ３の近傍に配置されたキーパッド５−１〜５−３及びキーＬＥＤ８−１〜８−３と、キーパッド５−１〜５−３を制御するキー制御部６と、キーＬＥＤ８−１〜８−３を制御するキーＬＥＤ制御部９と、キーパッド５−１〜５−３とキー制御部６とを接続するキーパッド信号線７と、キーＬＥＤ８−１〜８−３とキーＬＥＤ制御部９とを接続するキーＬＥＤ信号線１０と、アンテナ３の近傍に配置され、一端が回路基板２のグランドパターンと電気的に接続され、回路基板２に設けられたパターンで構成される放射素子４と、を有し、キーパッド信号線７及びキーＬＥＤ信号線１０と放射素子４を回路基板２の厚み方向に重ねて配置して、キーパッド信号線７及びキーＬＥＤ信号線１０と放射素子４を高周波的に結合させるようにしたので、機能部品及び信号線が配置される箇所の近傍にアンテナを配置してもアンテナ性能の劣化を防ぐことができる。また、機能部品と該機能部品を制御する制御部とを接続する信号線に挿入する高周波カット部品を削減でできるので、コストアップ及び機器本体の大型化を抑制できる。
【００３２】
（実施の形態２）
図５は、本発明の実施の形態２に係るアンテナ装置の概略構成を示す図である。なお、同図において前述した図１と共通する部分には同一の符号を付けている。
【００３３】
実施の形態２に係るアンテナ装置３０は、実施の形態１に係るアンテナ装置１と同様に、スマートフォンと呼ばれるストレート構造の携帯無線機に用いたものであり、図５はその下端部分を示している。
【００３４】
同図において、実施の形態２に係るアンテナ装置３０は、放射素子４と回路基板２のグランドパターンとの接続を、素子長調整用の地線定数（コイルＬ又はコンデンサＣ）３１を介して行ったものである。素子長調整用の地線定数３１を用いることで放射素子４の長さを自由に設計することができる。但し、放射素子４と回路基板２のグランドパターンとの接続部分が素子長調整用の地線定数３１のみとなるので、当該部分におけるキーパッド信号線７及びキーＬＥＤ信号線１０のそれぞれに高周波カット部品３２を介挿する必要がある。なお、当該部分においては、従来も同様に高周波カット部品を設けているので、従来と比べて高周波カット部品３２を増加させるものではない。
【００３５】
また、放射素子４の長さを短くすることで、機能部品が放射素子４から外れてしまうことがあり、そうなるとアンテナ３が信号線の影響を受けてしまい、アンテナ性能が劣化してしまう。図５では、キーパッド５−１とキーＬＥＤ８−１が放射素子４から外れているので、放射素子４の開放端とキーパッド５−１及びキーＬＥＤ８−１との間のキーパッド信号線７及びキーＬＥＤ信号線１０がアンテナ３に影響を与えてしまう。このような課題に対し、本実施の形態に係るアンテナ装置３０では、放射素子４の開放端とキーパッド５−１及びキーＬＥＤ８−１との間におけるキーパッド信号線７及びキーＬＥＤ信号線１０それぞれに高周波カット部品３２を介挿している。このようにすることで、信号線のアンテナ３に対する影響を低減できる。
【００３６】
このように実施の形態２に係るアンテナ装置３０によれば、放射素子４を素子長調整用の地線定数３１を介して回路基板２のグランドパターンに接続するようにしたので、放射素子４の長さを自由に設計することができる。
【００３７】
（実施の形態３）
図６は、本発明の実施の形態３に係るアンテナ装置の概略構成を示す図である。なお、同図において前述した図１と共通する部分には同一の符号を付けている。
【００３８】
実施の形態３に係るアンテナ装置４０は、実施の形態１に係るアンテナ装置１と同様に、スマートフォンと呼ばれるストレート構造の携帯無線機に用いたものであり、図６はその下端部分を示している。
【００３９】
本実施の形態に係るアンテナ装置４０は、放射素子４を給電部１１側に設けており、この点が前述した実施の形態１に係るアンテナ装置１及び実施の形態２に係るアンテナ装置３０と異なっている。図１及び図５に示すように、実施の形態１に係るアンテナ装置１及び実施の形態２に係るアンテナ装置３０では、放射素子を給電部１１と対向する側に設けている。放射素子４は、アンテナ３の近傍のグランド（回路基板２のグランドパターン）と接続されていれば良いので、給電部１１側に設けても効果は何ら変わらない。
【００４０】
なお、本実施の形態に係るアンテナ装置４０では、機能部品としてバイブレータ４１を用いており、このバイブレータ４１は回路基板２に設けたバイブレータ制御部４２によって制御される。バイブレータ４１とバイブレータ制御部４２はバイブレータ信号線４３によって接続されている。
【００４１】
放射素子４を給電部１１側に設けても、実施の形態１に係るアンテナ装置１と同様の効果が得られる。
【００４２】
（実施の形態４）
図７は、本発明の実施の形態４に係るアンテナ装置の概略構成を示す図である。なお、同図において前述した図１と共通する部分には同一の符号を付けている。
【００４３】
実施の形態４に係るアンテナ装置５０は、実施の形態１に係るアンテナ装置１と同様に、スマートフォンと呼ばれるストレート構造の携帯無線機に用いたものであり、図７はその下端部分を示している。
【００４４】
本実施の形態に係るアンテナ装置５０は、回路基板２とアンテナ３を離して配置した構造としたものである。また、本実施の形態に係るアンテナ装置５０は、強度補強用金属プレート５１を有している。強度補強用金属プレート５１は、回路基板２の裏面側（図７で見えている側の面を表面とする）に配置される。強度補強用金属プレート５１は、回路基板２のグランドパターンに接続されている。
【００４５】
また、本実施の形態に係るアンテナ装置５０は、回路基板２とアンテナ３を離して配置することから、キーパッド信号線７、キーＬＥＤ信号線１０及び給電部１１を支持するためのＬ字状のフレキシブル基板５２を有している。このフレキシブル基板５２の一端が回路基板２に接続されており、フレキシブル基板５２の先端部分には給電部１１が配置される。給電部１１と回路基板２は同軸ケーブル５３で接続される。
【００４６】
また、本実施の形態に係るアンテナ装置５０の放射素子４は、フレキシブル基板５２の裏面側（図７で見えている側の面を表面とする）に配置される。放射素子４の基端部には、強度補強用金属プレート５１の下端部分で強度補強用金属プレート５１と接続するためのグランド接点部５４が設けられている。この場合、強度補強用金属プレート５１が回路基板２のグランドパターンと接続されているので、放射素子４は強度補強用金属プレート５１を介して回路基板２のグランドパターンに接続される。
【００４７】
回路基板２とアンテナ３を離して配置しても、実施の形態１に係るアンテナ装置１と同様の効果が得られる。
【００４８】
（実施の形態５）
図８は、本発明の実施の形態５に係るアンテナ装置の概略構成を示す図である。なお、同図において前述した図１と共通する部分には同一の符号を付けている。
【００４９】
実施の形態５に係るアンテナ装置６０は、実施の形態１に係るアンテナ装置１と同様に、スマートフォンと呼ばれるストレート構造の携帯無線機に用いたものであり、図８はその下端部分を示している。
【００５０】
本実施の形態に係るアンテナ装置６０は、放射素子４を回路基板２のグランドパターンに接続せず、浮かせた状態としたものである。即ち、放射素子４を無給電素子としたものである。放射素子４を回路基板２から浮かすことで、キーパッド信号線７及びキーＬＥＤ信号線１０それぞれに高周波カット部品３２を介挿している。放射素子４を回路基板２から浮かすことで、共振周波数が実施の形態１に係るアンテナ装置１とは異なるが、同様の効果が得られる。
【００５１】
なお、上記実施の形態１〜５に係るアンテナ装置１，３０，４０，５０，６０は、それぞれスマートフォンと呼ばれるストレート構造の携帯無線機に適用したものであったが、本発明のアンテナ装置はストレート構造の携帯無線機以外に、携帯電話として利用されているスライド構造、折り畳み構造、スイーベル構造の携帯無線機にも勿論適用可能である。
【００５２】
本発明を詳細にまた特定の実施態様を参照して説明したが、本発明の精神と範囲を逸脱することなく様々な変更や修正を加えることができることは当業者にとって明らかである。
【００５３】
本出願は、２０１１年１２月２６日出願の日本特許出願（特願２０１１−２８４１３６）に基づくものであり、その内容はここに参照として取り込まれる。
【産業上の利用可能性】
【００５４】
本発明は、信号線に挿入する高周波カット部品を削減できるとともに、機能部品及び信号線が配置される箇所の近傍にアンテナ素子を配置できるといった効果を有し、携帯電話として利用されているスライド構造、折り畳み構造、スイーベル構造の携帯無線機やスマートフォンに代表されるストレート構造の携帯無線機への適用が可能である。
【符号の説明】
【００５５】
１，３０，４０，５０，６０  アンテナ装置
２  回路基板
３  アンテナ
４  放射素子
５−１，５−２，５−３  キーパッド
６  キー制御部
７  キーパッド信号線
８−１，８−２，８−３  キーＬＥＤ
９  キーＬＥＤ制御部
１０  キーＬＥＤ信号線
１１  給電部
３１  地線定数
３２  高周波カット部品
４１  バイブレータ
４２  バイブレータ制御部
４３  バイブレータ信号線
５１  強度補強用金属プレート
５２  フレキシブル基板
５３  同軸ケーブル
５４  グランド接点部
【図１】
2013099113.tif 000003
【図２】
2013099113.tif 000004
【図３】
2013099113.tif 000005
【図４】
2013099113.tif 000006
【図５】
2013099113.tif 000007
【図６】
2013099113.tif 000008
【図７】
2013099113.tif 000009
【図８】
2013099113.tif 000010
【図９】
2013099113.tif 000011
【手続補正書】
【提出日】平成27年1月29日(2015.1.29)
【手続補正１】
【補正対象書類名】明細書
【補正対象項目名】０００７
【補正方法】変更
【補正の内容】
【０００７】
本発明のアンテナ装置は、少なくとも２つの層を有する多層構造の回路基板と、前記回路基板のグランドパターンをグランドとするアンテナと、前記アンテナの近傍に配置された機能部品と、前記回路基板に設けられ前記機能部品を制御する制御部と、前記機能部品と前記制御部とを接続する信号線と、前記アンテナの近傍に配置され、少なくとも一端が前記回路基板のグランドパターンと電気的に接続されたパターンで構成される放射素子と、を有し、前記信号線と前記放射素子の少なくとも一部が前記回路基板の厚み方向で重なっていることを特徴とする。
【手続補正２】
【補正対象書類名】明細書
【補正対象項目名】０００９
【補正方法】変更
【補正の内容】
【０００９】
本発明のアンテナ装置は、少なくとも２つの層を有する多層構造の回路基板と、前記回路基板のグランドパターンをグランドとするアンテナと、前記アンテナの近傍に配置された機能部品と、前記回路基板に設けられ前記機能部品を制御する制御部と、前記機能部品と前記制御部とを接続する信号線と、前記アンテナの近傍に配置されたパターンで構成される放射素子と、前記信号線を中継し、前記回路基板のグランドパターンと前記放射素子との間に配置される高周波カット部品と、を有し、前記信号線と前記放射素子の少なくとも一部が前記回路基板の厚み方向で重なっていることを特徴とする。
【手続補正３】
【補正対象書類名】明細書
【補正対象項目名】００２６
【補正方法】変更
【補正の内容】
【００２６】
回路基板２は、少なくとも２つの層を有する多層構造の回路基板である。アンテナ３は、回路基板２のグランドパターン（図示略）をグランドとし、回路基板２の長辺２ａと平行な方向に延びる基端部３ａと回路基板２の短辺２ｂと平行な方向に延びるアンテナ部３ｂとからなるＬ字状に形成されている。アンテナ３の基端部３ａが回路基板２上の給電部１１に接続されている。アンテナ３のアンテナ部３ｂの先端が開放端となっている。放射素子４は、略Ｌ字形をした帯状に形成されており、一端が回路基板２のグランドパターンと電気的に接続されたパターンで構成されている。放射素子４は、回路基板２の短辺２ｂとアンテナ３との間に、アンテナ３に対する地線として配置される。キーパッド５−１〜５−３は、放射素子４の表面（図１で見えている側の面が表面である）上方に配置される。キー制御部６は、キーパッド５−１〜５−３それぞれを制御する。キーパッド信号線７は、複数の極細の心線からなり、キーパッド５−１〜５−３とキー制御部６とを接続する。
【手続補正４】
【補正対象書類名】明細書
【補正対象項目名】００３１
【補正方法】変更
【補正の内容】
【００３１】
このように実施の形態１に係るアンテナ装置１によれば、少なくとも２つの層を有する多層構造の回路基板２と、回路基板２のグランドパターンをグランドとするアンテナ３と、アンテナ３の近傍に配置されたキーパッド５−１〜５−３及びキーＬＥＤ８−１〜８−３と、キーパッド５−１〜５−３を制御するキー制御部６と、キーＬＥＤ８−１〜８−３を制御するキーＬＥＤ制御部９と、キーパッド５−１〜５−３とキー制御部６とを接続するキーパッド信号線７と、キーＬＥＤ８−１〜８−３とキーＬＥＤ制御部９とを接続するキーＬＥＤ信号線１０と、アンテナ３の近傍に配置され、一端が回路基板２のグランドパターンと電気的に接続されたパターンで構成される放射素子４と、を有し、キーパッド信号線７及びキーＬＥＤ信号線１０と放射素子４を回路基板２の厚み方向に重ねて配置して、キーパッド信号線７及びキーＬＥＤ信号線１０と放射素子４を高周波的に結合させるようにしたので、機能部品及び信号線が配置される箇所の近傍にアンテナを配置してもアンテナ性能の劣化を防ぐことができる。また、機能部品と該機能部品を制御する制御部とを接続する信号線に挿入する高周波カット部品を削減でできるので、コストアップ及び機器本体の大型化を抑制できる。
【手続補正５】
【補正対象書類名】特許請求の範囲
【補正対象項目名】全文
【補正方法】変更
【補正の内容】
【特許請求の範囲】
【請求項１】
少なくとも２つの層を有する多層構造の回路基板と、
前記回路基板のグランドパターンをグランドとするアンテナと、
前記アンテナの近傍に配置された機能部品と、
前記回路基板に設けられ前記機能部品を制御する制御部と、
前記機能部品と前記制御部とを接続する信号線と、
前記アンテナの近傍に配置され、少なくとも一端が前記回路基板のグランドパターンと電気的に接続されたパターンで構成される放射素子と、を有し、
前記信号線と前記放射素子の少なくとも一部が前記回路基板の厚み方向で重なっていることを特徴とするアンテナ装置。
【請求項２】
少なくとも２つの層を有する多層構造の回路基板と、
前記回路基板のグランドパターンをグランドとするアンテナと、
前記アンテナの近傍に配置された機能部品と、
前記回路基板に設けられ前記機能部品を制御する制御部と、
前記機能部品と前記制御部とを接続する信号線と、
前記アンテナの近傍に配置されたパターンで構成される放射素子と、
前記信号線を中継し、前記回路基板のグランドパターンと前記放射素子との間に配置される高周波カット部品と、を有し、
前記信号線と前記放射素子の少なくとも一部が前記回路基板の厚み方向で重なっていることを特徴とするアンテナ装置。
【請求項３】
前記回路基板のグランドパターンに電気的に接続された強度補強用の金属プレートを有することを特徴とする請求項１又は請求項２に記載のアンテナ装置。
【請求項４】
前記放射素子と前記回路基板のグランドパターンを中継して接続する周波数調整部品を有することを特徴とする請求項２又は請求項３に記載のアンテナ装置。
【請求項５】
前記放射素子が前記回路基板の少なくとも２つのパターンで構成され、前記信号線が配置される前記回路基板のパターンが前記放射素子のパターン間に挟まれていることを特徴とする請求項１から請求項４のいずれか一項に記載のアンテナ装置。
【請求項６】
前記信号線を中継し、前記放射素子の開放端近傍に配置される高周波カット部品を有することを特徴とする請求項１から請求項５のいずれか一項に記載のアンテナ装置。
【請求項７】
請求項１から請求項６のいずれか一項に記載のアンテナ装置を有することを特徴とする携帯無線機。
【国際調査報告】
2013099113.tif 000012
2013099113.tif 000013
2013099113.tif 000014
2013099113.tif 000015